(57)【特許請求の範囲】
【請求項１】
放送信号を含む受信電波を中間周波信号に周波数変換し、前記放送信号から音声信号を復調し、前記放送信号を検索する電子同調ラジオ受信手段と、前記中間周波信号の電圧を検出する中間周波電圧検出手段と、前記中間周波電圧検出手段で検出された前記中間周波信号の電圧値が予め設定された検索停止電圧値以上の値であるか否かを判定するとともに、前記中間周波信号の電圧値の変動量が予め設定された中間周波電圧値の変動量以下であるか否か判定する電圧判定手段と、予め設定された基準時間の間に前記中間周波電圧検出手段によって前記中間周波信号の電圧値が前記検索停止電圧値以上であると判定した時間を計時する計時手段と、前記基準時間と前記計時手段で計時された時間との比が、予め設定された基準時間比よりも大きいか否かを判定する時間比判定手段と、前記電子同調ラジオ受信手段で放送信号の検索動作が行われている際に、前記電圧判定手段によって前記中間周波電圧検出手段で検出された前記中間周波信号の電圧値が予め設定された検索停止電圧値以上の値であると判定するとともに、前記中間周波信号の電圧値の変動量が予め設定された中間周波電圧値の変動量以下であると判定し、かつ前記時間比判定手段によって前記基準時間と前記計時手段で計時された時間との比が予め設定された基準時間比よりも大きいと判定した場合に前記検索動作を停止させる検索制御手段とを備えたことを特徴とするＡＭ放送局検索電子同調ラジオ受信機。
【請求項２】
放送信号を含む受信電波を中間周波信号に周波数変換し、前記放送信号から音声信号を復調し、前記放送信号を検索する電子同調ラジオ受信手段と、前記中間周波信号の電圧を検出する中間周波電圧検出手段と、前記中間周波電圧検出手段で検出された前記中間周波信号の電圧値が予め設定された検索停止電圧値以上の値であるか否かを判定するとともに、前記中間周波信号の電圧値の変動量が予め設定された中間周波電圧値の変動量以下であるか否か判定する電圧判定手段と、予め設定された基準時間の間に前記中間周波電圧検出手段によって前記中間周波信号の電圧値が前記検索停止電圧値以上であると判定した時間を計時する計時手段と、前記基準時間と前記計時手段で計時された時間との比が、予め設定された基準時間比よりも大きいか否かを判定する時間比判定手段と、前記電圧判定手段が複数回電圧判定動作を行った際の複数回数の電圧判定結果と前記時間比判定手段が複数回時間比判定動作を行った際の複数回数の時間比判定結果を用いて前記放送信号は予め設定された受信状態にあるのか否かを判定する受信状態判定手段と、前記電子同調ラジオ受信手段で放送信号の検索動作が行われている際に、前記受信状態判定手段によって前記放送信号が予め設定された受信状態にあると判定した場合、前記検索動作を停止させる検索制御手段とを備えたことを特徴とするＡＭ放送局検索電子同調ラジオ受信機。
【請求項３】
前記電子同調ラジオ受信手段で放送信号の検出動作が行われている際に、前記電圧判定手段によって算出された前記中間周波信号の電圧値が前記検索停止電圧値未満であると判定した場合、前記電子同調ラジオ受信手段の同調周波数を予め設定された周波数間隔で変更し、変更された同調周波数の電波を受信し、前記放送信号の検索動作を継続することを特徴とする請求項１または請求項２に記載のＡＭ放送局検索電子同調ラジオ受信機。
【請求項４】
前記電子同調ラジオ受信手段で放送信号の検索動作が行われている際に、前記電圧判定手段によって算出された前記中間周波数の電圧の変動量が予め設定された変動量より大きいと判定した場合、前記電子同調ラジオ受信手段の同調周波数を予め設定された周波数間隔で変更し、変更された同調周波数の電波を受信し、前記放送信号を検索することを特徴とする請求項1または請求項２に記載のＡＭ放送局検索電子同調ラジオ受信機。
【請求項５】
前記電子同調ラジオ受信手段で放送信号の検索動作が行われている際に、前記受信状態判定手段によって前記放送信号が予め設定された受信状態にないと判定した場合、前記電子同調ラジオ受信手段の同調周波数を予め設定された周波数間隔で変更し、変更された同調周波数の電波を受信し、前記放送信号を検索することを特徴とする請求項２に記載のＡＭ放送局検索電子同調ラジオ受信機。
【請求項６】
前記ＡＭ放送局検索電子同調ラジオ受信機は車載用であることを特徴とする請求項１から請求項５までの何れかに記載のＡＭ放送局検索電子同調ラジオ受信機。
【請求項７】
中間周波信号の電圧を検出する中間周波電圧検出工程と、検出された前記中間周波信号の電圧が予め設定された検索停止最低電圧以上であるのか否かを判定し、さらに検出された前記中間周波信号の電圧の変動量を算出し、算出された前記中間周波信号の電圧の変動量が予め設定された電圧の変動量以内であるのか否かを判定する電圧判定工程と、前記中間周波信号の電圧と前記予め設定された検索停止最低電圧とを比較し、予め設定された時間内で前記中間周波信号の電圧が前記予め設定された検索停止最低電圧以上になっている時間を計時する計時工程と、前記予め設定された時間と前記計時された時間との比を算出し、前記予め設定された時間と前記計時された時間との比が予め設定された時間比以上であるのか否かを判定する時間比判定工程と、前記中間周波信号の電圧が前記予め設定された検索停止最低電圧以上である判定結果と、前記中間周波信号の電圧の変動量が前記予め設定された電圧の変動量以内である判定結果と、前記予め設定された時間と前記計時された時間の比が予め設定された時間比以上である判定結果とに基づいて予め設定された受信状態にある放送信号を検出したのか否かを判定する検索判定工程とを備えたことを特徴とする放送局検索方法。
【請求項８】
中間周波信号の電圧を検出する中間周波電圧検出工程と、検出された前記中間周波信号の電圧が予め設定された検索停止最低電圧以上であるのか否かを判定し、さらに検出された前記中間周波信号の電圧の変動量を算出し、算出された前記中間周波信号の電圧の変動量が予め設定された電圧の変動量以内であるのか否かを判定する電圧判定工程と、前記中間周波信号の電圧と前記予め設定された検索停止最低電圧とを比較し、予め設定された時間内で前記中間周波信号の電圧が前記予め設定された検索停止最低電圧以上になっている時間を計時する計時工程と、前記予め設定された時間と前記計時された時間との比を算出し、前記予め設定された時間と前記計時された時間との比が予め設定された時間比以上であるのか否かを判定する時間比判定工程と、前記計時工程における前記予め設定された時間内で前記中間周波信号の電圧が前記予め設定された検索停止最低電圧以上になっている時間の計時と、前記時間比判定工程における前記予め設定された時間と前記計時された時間との比が予め設定された時間比以上であるのか否かの判定とを複数回数繰返したのち放送信号が予め設定された受信状態にあるのか否かを判定する受信状態判定工程と、前記中間周波信号の電圧が前記予め設定された検索停止最低電圧以上である判定結果と、前記中間周波信号の電圧の変動量が前記予め設定された電圧の変動量以内である判定結果と、前記予め設定された時間と前記計時された時間との比が予め設定された時間比以上である判定結果と、前記計時工程における前記予め設定された時間内で前記中間周波信号の電圧が前記予め設定された検索停止最低電圧以上になっている時間計時と、前記時間比判定工程における前記予め設定された時間と前記計時された時間との比が予め設定された時間比以上であるのか否かの判定とを複数回数繰返したのち、予め設定された受信状態にある放送信号を検出したのか否かを判定する検索判定工程とを備えたことを特徴とするＡＭ放送局検索方法。
【請求項９】
前記中間周波電圧検出工程で、予め設定された検出時間内の前記中間周波信号の電圧を検出し、前記電圧判定工程で、検出された前記中間周波信号の電圧が前記予め設定された検索停止最低電圧以上であると判定したことにより、前記検索制御工程では、前記放送信号が検出されたと判定し、前記電圧判定工程で、検出された前記中間周波信号の電圧が前記予め設定された検索停止最低電圧以下であると判定したことにより、前記検索制御工程では、前記放送信号が検出されなかったと判定し、前記電子同調ラジオ受信機の同調周波数を予め設定された周波数間隔で変更し、変更された同調周波数の電波を受信し、前記放送信号を検索することを特徴とする請求項７または請求項８に記載のＡＭ放送局検索方法。
【請求項１０】
前記中間周波電圧検出工程で、予め設定された検出時間内の前記中間周波信号の電圧を検出し、前記電圧判定工程で、検出された前記中間周波信号の電圧から前記中間周波信号の最大電圧と最低電圧を判定し、判定された前記最大電圧と前記最低電圧との差から前記中間周波数の電圧の変動量を算出し、算出された前記中間周波数の電圧の変動量を予め設定された変動量以下であると判定したことにより、前記検索制御工程で、受信した前記放送信号の変動量は小さいと判定し、前記電圧判定工程で、算出された前記中間周波数の電圧の変動量が予め設定された変動量を超えていると判定したことにより、前記検索制御工程で、変動量の小さい放送信号が受信されていないと判定し、前記電子同調ラジオ受信機の同調周波数を予め設定された周波数間隔で変更し、変更された同調周波数の電波を受信し、前記放送信号を検索することを特徴とする請求項７または請求項８に記載のＡＭ放送局検索方法。
【請求項１１】
前記予め設定された時間と前記計時された時間との比が予め設定された時間比以上であるとする前記時間比判定工程での判定を計時成功判定とし、前記予め設定された時間と前記計時された時間との比が予め設定された時間比未満であるとする前記時間比判定工程での判定を計時失敗判定とし、前記計時工程による前記予め設定された時間内で前記中間周波信号の電圧が前記予め設定された検索停止最低電圧以上になっている時間と、前記時間比判定工程による前記予め設定された時間と前記計時された時間との比が予め設定された時間比以上であるのか否かの判定とを複数回数繰返したのち、前記受信状態判定工程で、計時成功判定とした回数が前記複数回数に占める割合を算出し、算出された割合が予め設定された割合以上であると判定したことにより、前記検索制御工程が予め設定された受信状態にある放送信号を検出したと判定し、前記受信状態判定工程が、計時成功判定とした回数が前記複数回数に占める割合を算出し、算出された割合が予め設定された割合未満であると判定したことにより、前記検索制御工程が予め設定された受信状態にある放送信号を検出していないと判定することを特徴とする請求項８に記載のＡＭ放送局検索方法。
【発明の詳細な説明】
【０００１】
【発明の属する技術分野】
本発明は、電波を受信し、振幅変調電波放送局（以下、単にＡＭ放送局という。）から送信された振幅変調放送信号（以下、単にＡＭ放送信号という。）を検索する電子同調ラジオ受信機に関し、さらに詳しくは、ＡＭ放送局から送信されたＡＭ放送信号が予め設定された受信状態にあるのか否かを判定し、予め設定された受信状態にあるＡＭ放送信号を検索する車載用電子同調ラジオ受信機に関する。
【０００２】
【従来の技術】
一般に、夜間は、電離層での電波の反射が大きくなるため、放送局の放送アンテナから送信された電波が地表付近を伝播する地表波と電離層で反射された空間波とがラジオの受信アンテナに到達することにより、受信点における受信電波の電界強度が時間的に変化するフェージング現象の影響が顕著に現れる。また、ラジオ受信機には、受信可能な放送局を順次探し出す検索機能を備えたものがあるが、この検索機能を動作させた際に、このフェージング現象の影響を受けて電波が大きくなったり小さくなったり周期的に変動し、予め決められた受信状態にないＡＭ放送局の電波に同調させることが多かった。
【０００３】
このような予め決められた受信状態にないＡＭ放送局の電波に同調させないよう、従来のＡＭ放送局検索ラジオ受信機は、夜間には、検索を停止するか否かを判定する最低電界強度を高い値に設定し、受信状態の悪いＡＭ放送局の電波を検索して誤停止することを少なくしていた。
【０００４】
図３に示された従来の電子同調ラジオ受信機１０は、受信した電波からＡＭ放送信号を検索する電子同調ラジオ受信回路１２と、ＡＭ放送信号を検索するよう電子同調ラジオ受信機１２を制御する制御マイコン１１と、制御マイコン１１により制御される電子同調ラジオ受信回路１２からの音声信号にミュートをかけるためのミュート回路１３と、電子同調ラジオ受信回路１２からの音声信号を増幅するアンプ１４と、アンプ１４により増幅された音声信号を音に変換するスピーカ１５とを備えている。
【０００５】
次に、従来の電子同調ラジオ受信機１０の動作を図４を参照して説明する。
【０００６】
まず、ステップＳ２１では、電子同調ラジオ受信機が周波数ｆの電波を受信する。次いで、ステップＳ２２では、放送局検索を開始するのか否かを判定する。ここで、放送局検索を開始しないと判定したときにはステップＳ２１に戻り、放送局検索を開始すると判定したときにはステップＳ２３に進む。次いで、ステップＳ２３では、受信された電波から復調された音声信号が、スピーカ１５から音声として出力されないようミュート状態にする。
【０００７】
次いで、ステップＳ２４では、昼間か、夜間かを判定する。この判定方法としては、ラジオ受信機に内蔵された時計による時刻の判定であったり、車載ラジオ受信機であればヘッドライトが点灯されているのか否かの判定等による。次いで、ステップＳ２６では、ステップＳ２４で昼間であると判定したときには、放送局検索（以下単にシークという。）を停止するシーク停止最低電界強度ＶをＶｄに設定し、夜間であると判定したときには放送局検索を停止するシーク停止最低電界強度ＶをＶｎに設定する。
【０００８】
次いで、ステップＳ２７では、受信周波数ｆに１ステップ分の周波数Δｆを加算した周波数ｆ＋Δｆに変更する。次いで、ステップＳ２８では、１ステップ加算された周波数ｆ＋Δｆに同調するようラジオ受信機を制御する。次いで、受信周波数ｆ＋Δｆに同調された状態で受信された電波の電界強度を検出し、シーク停止最低電界強度と比較する。ここで比較されるシーク停止最低電界強度は、ステップＳ２４乃至Ｓ２７により設定されたものである。また、受信された電波の電界強度がシーク停止最低電界強度よりも低いと判定されたときには、ステップＳ２７に進む。他方、受信された電波の電界強度がシーク停止最低電界強度以上と判定されたときにはステップＳ３０に進む。
【０００９】
次いで、ステップＳ３０では、予め決められた時間内に受信された電波の電界強度が予め決められたシーク停止最低電界強度以上になっている時間をカウントし、カウントされた時間に基づいて周波数ｆ＋Δｆの電波にＡＭ放送信号が検出できたのか否を判定する。ここで、ＡＭ放送信号が検出されたときにはステップＳ３１に進み、ＡＭ放送信号が検出されないときにはステップＳ２７に進む。他方、ＡＭ放送信号が検出されたときにはステップＳ３１に進む。最後に、ステップＳ３１では、ミュート状態を解除し、受信されたＡＭ放送信号から復調された音声信号を音声に変換し、スピーカ１５から出力する。
【００１０】
【発明が解決しようとする課題】
しかしながら、時計が内蔵されていない家庭内ラジオ受信機では、夜間と昼間の区別ができず、また、ヘッドライトが点灯しているか否かで夜間と昼間を判定する車載用ラジオ受信機では、昼間にヘッドライトを点灯することにより夜間と誤判断してしまうという問題があった。
【００１１】
本発明は、従来の問題を解決するためになされたもので、夜間と昼間とを区別しなくとも、電波が予め設定された受信状態にあるのか否かを判定し、予め設定された受信状態にあるＡＭ放送局の電波を検索するＡＭ放送局検索ラジオ受信機を提供するものである。
【００１２】
【課題を解決するための手段】
本発明のＡＭ放送局検索ラジオ受信機は、放送信号を含む受信電波を中間周波信号に周波数変換し、前記放送信号から音声信号を復調し、前記放送信号を検索する電子同調ラジオ受信手段と、前記中間周波信号の電圧を検出する中間周波電圧検出手段と、前記中間周波電圧検出手段で検出された前記中間周波信号の電圧値が予め設定された検索停止電圧値以上の値であるか否かを判定するとともに、前記中間周波信号の電圧値の変動量が予め設定された中間周波電圧値の変動量以下であるか否か判定する電圧判定手段と、予め設定された基準時間の間に前記中間周波電圧検出手段によって前記中間周波信号の電圧値が前記検索停止電圧値以上であると判定した時間を計時する計時手段と、前記基準時間と前記計時手段で計時された時間との比が、予め設定された基準時間比よりも大きいか否かを判定する時間比判定手段と、前記電子同調ラジオ受信手段で放送信号の検索動作が行われている際に、前記電圧判定手段によって前記中間周波電圧検出手段で検出された前記中間周波信号の電圧値が予め設定された検索停止電圧値以上の値であると判定するとともに、前記中間周波信号の電圧値の変動量が予め設定された中間周波電圧値の変動量以下であると判定し、かつ前記時間比判定手段によって前記基準時間と前記計時手段で計時された時間との比が予め設定された基準時間比よりも大きいと判定した場合に前記検索動作を停止させる検索制御手段とを備えた構成を有している。この構成により、放送局検索の際、受信電波が予め設定された受信状態にあるのか否かを判定し、予め設定されたより安定した受信状態にある放送局の電波に同調させることができる。
【００１３】
また、本発明のＡＭ放送局検索ラジオ受信機は、放送信号を含む受信電波を中間周波信号に周波数変換し、前記放送信号から音声信号を復調し、前記放送信号を検索する電子同調ラジオ受信手段と、前記中間周波信号の電圧を検出する中間周波電圧検出手段と、前記中間周波電圧検出手段で検出された前記中間周波信号の電圧値が予め設定された検索停止電圧値以上の値であるか否かを判定するとともに、前記中間周波信号の電圧値の変動量が予め設定された中間周波電圧値の変動量以下であるか否か判定する電圧判定手段と、予め設定された基準時間の間に前記中間周波電圧検出手段によって前記中間周波信号の電圧値が前記検索停止電圧値以上であると判定した時間を計時する計時手段と、前記基準時間と前記計時手段で計時された時間との比が、予め設定された基準時間比よりも大きいか否かを判定する時間比判定手段と、前記電圧判定手段が複数回電圧判定動作を行った際の複数回数の電圧判定結果と前記時間比判定手段が複数回時間比判定動作を行った際の複数回数の時間比判定結果を用いて前記放送信号は予め設定された受信状態にあるのか否かを判定する受信状態判定手段と、前記電子同調ラジオ受信手段で放送信号の検索動作が行われている際に、前記受信状態判定手段によって前記放送信号が予め設定された受信状態にあると判定した場合、前記検索動作を停止させる検索制御手段とを備えた構成を有している。この構成により、放送局検索の際、受信電波の状態を複数回検出し、予め設定された受信状態にあるのか否かを判定し、予め設定されたより安定した受信状態にある放送局の電波に同調させることができる。
【００１４】
さらに、本発明のＡＭ放送局検索ラジオ受信機は、前記電子同調ラジオ受信手段で放送信号の検出動作が行われている際に、前記電圧判定手段によって算出された前記中間周波信号の電圧値が前記検索停止電圧値未満であると判定した場合、前記電子同調ラジオ受信手段の同調周波数を予め設定された周波数間隔で変更し、変更された同調周波数の電波を受信し、前記放送信号の検索動作を継続する構成を有している。この構成により、放送局検索の際、受信電波の電界強度の大きさが予め設定された電界強度の大きさ以上の状態であるのか否かを判定し、予め設定された電界強度の大きさ以上の状態でない場合、所望の周波数間隔で放送局検索動作を継続し、予め設定されたより安定した受信状態にある放送局の電波に同調させることができる。
【００１５】
さらに、本発明のＡＭ放送局検索ラジオ受信機は、前記電子同調ラジオ受信手段で放送信号の検索動作が行われている際に、前記電圧判定手段によって算出された前記中間周波数の電圧の変動量が予め設定された変動量より大きいと判定した場合、前記電子同調ラジオ受信手段の同調周波数を予め設定された周波数間隔で変更し、変更された同調周波数の電波を受信し、前記放送信号を検索する構成を有している。この構成により、放送局検索の際、受信電波の電界強度の変動量が予め設定された電界強度の変動量以上の状態であるのか否を判定し、予め設定された電界強度の変動量以上の状態でない場合、所望の周波数間隔で放送局検索動作を継続し、予め設定されたより安定した受信状態にある放送局の電波に同調させることができる。
【００１６】
さらに、本発明のＡＭ放送局検索ラジオ受信機は、前記電子同調ラジオ受信手段で放送信号の検索動作が行われている際に、前記受信状態判定手段によって前記放送信号が予め設定された受信状態にないと判定した場合、前記電子同調ラジオ受信手段の同調周波数を予め設定された周波数間隔で変更し、変更された同調周波数の電波を受信し、前記放送信号を検索する構成を有している。この構成により、放送局検索の際、受信電波の状態を複数回数検出し、予め設定された受信状態にあるのか否かを判定し、予め設定された電界強度の変動量以上の状態でない場合、所望の周波数間隔で放送局検索動作を継続し、予め設定されたより安定した受信状態にある放送局の電波に同調させることができる。
【００１７】
また、本発明のＡＭ放送局検索ラジオ受信機は、前記ＡＭ放送局検索電子同調ラジオ受信機は車載用である構成を有している。この構成により、車内における放送局検索の際、受信電波が予め設定された受診状態にあるのか否かを判定し、予め設定されたより安定した受信状態にある放送局の電波に同調させることができる。
【００１８】
また、本発明のＡＭ放送局検索方法は、中間周波信号の電圧を検出する中間周波電圧検出工程と、検出された前記中間周波信号の電圧が予め設定された検索停止最低電圧以上であるのか否かを判定し、さらに検出された前記中間周波信号の電圧の変動量を算出し、算出された前記中間周波信号の電圧の変動量が予め設定された電圧の変動量以内であるのか否かを判定する電圧判定工程と、前記中間周波信号の電圧と前記予め設定された検索停止最低電圧とを比較し、予め設定された時間内で前記中間周波信号の電圧が前記予め設定された検索停止最低電圧以上になっている時間を計時する計時工程と、前記予め設定された時間と前記計時された時間との比を算出し、前記予め設定された時間と前記計時された時間との比が予め設定された時間比以上であるのか否かを判定する時間比判定工程と、前記中間周波信号の電圧が前記予め設定された検索停止最低電圧以上である判定結果と、前記中間周波信号の電圧の変動量が前記予め設定された電圧の変動量以内である判定結果と、前記予め設定された時間と前記計時された時間の比が予め設定された時間比以上である判定結果とに基づいて予め設定された受信状態にある放送信号を検出したのか否かを判定する検索判定工程とを備えた構成を有している。この構成により、放送局検索の際、受信電波が予め設定された受診状態にあるのか否かを判定し、予め設定されたより安定した受信状態にあるＡＭ放送局の電波を検索することができる。
【００１９】
また、本発明のＡＭ放送局検索方法は、中間周波信号の電圧を検出する中間周波電圧検出工程と、検出された前記中間周波信号の電圧が予め設定された検索停止最低電圧以上であるのか否かを判定し、さらに検出された前記中間周波信号の電圧の変動量を算出し、算出された前記中間周波信号の電圧の変動量が予め設定された電圧の変動量以内であるのか否かを判定する電圧判定工程と、前記中間周波信号の電圧と前記予め設定された検索停止最低電圧とを比較し、予め設定された時間内で前記中間周波信号の電圧が前記予め設定された検索停止最低電圧以上になっている時間を計時する計時工程と、前記予め設定された時間と前記計時された時間との比を算出し、前記予め設定された時間と前記計時された時間との比が予め設定された時間比以上であるのか否かを判定する時間比判定工程と、前記計時工程における前記予め設定された時間内で前記中間周波信号の電圧が前記予め設定された検索停止最低電圧以上になっている時間の計時と、前記時間比判定工程における前記予め設定された時間と前記計時された時間との比が予め設定された時間比以上であるのか否かの判定とを複数回数繰返したのち放送信号が予め設定された受信状態にあるのか否かを判定する受信状態判定工程と、前記中間周波信号の電圧が前記予め設定された検索停止最低電圧以上である判定結果と、前記中間周波信号の電圧の変動量が前記予め設定された電圧の変動量以内である判定結果と、前記予め設定された時間と前記計時された時間との比が予め設定された時間比以上である判定結果と、前記計時工程における前記予め設定された時間内で前記中間周波信号の電圧が前記予め設定された検索停止最低電圧以上になっている時間計時と、前記時間比判定工程における前記予め設定された時間と前記計時された時間との比が予め設定された時間比以上であるのか否かの判定とを複数回数繰返したのち、予め設定された受信状態にある放送信号を検出したのか否かを判定する検索判定工程とを備えた構成を有している。この構成により、放送局検索の際、受信電波の状態を複数回検出し、予め設定された受信状態にあるのか否かを判定し、予め設定されたより安定した受信状態にある放送局の電波に同調させることができる。
【００２０】
さらに、本発明のＡＭ放送局検索方法は、前記中間周波電圧検出工程で、予め設定された検出時間内の前記中間周波信号の電圧を検出し、前記電圧判定工程で、検出された前記中間周波信号の電圧が前記予め設定された検索停止最低電圧以上であると判定したことにより、前記検索制御工程では、前記放送信号が検出されたと判定し、前記電圧判定工程で、検出された前記中間周波信号の電圧が前記予め設定された検索停止最低電圧以下であると判定したことにより、前記検索制御工程では、前記放送信号が検出されなかったと判定し、前記電子同調ラジオ受信機の同調周波数を予め設定された周波数間隔で変更し、変更された同調周波数の電波を受信し、前記放送信号を検索する構成を有している。この構成により、放送局検索の際、受信電波の電界強度の大きさが予め設定された電界強度の大きさ以上の状態であるのか否かを判定し、予め設定された電界強度の大きさ以上でない場合、所望の周波数間隔で放送局検索動作を継続し、予め設定されたより安定した受信状態にある放送局の電波に同調させることができる。
【００２１】
さらに、本発明のＡＭ放送局検索方法は、前記中間周波電圧検出工程で、予め設定された検出時間内の前記中間周波信号の電圧を検出し、前記電圧判定工程で、検出された前記中間周波信号の電圧から前記中間周波信号の最大電圧と最低電圧を判定し、判定された前記最大電圧と前記最低電圧との差から前記中間周波数の電圧の変動量を算出し、算出された前記中間周波数の電圧の変動量を予め設定された変動量以下であると判定したことにより、前記検索制御工程で、受信した前記放送信号の変動量は小さいと判定し、前記電圧判定工程で、算出された前記中間周波数の電圧の変動量が予め設定された変動量を超えていると判定したことにより、前記検索制御工程で、変動量の小さい放送信号が受信されていないと判定し、前記電子同調ラジオ受信機の同調周波数を予め設定された周波数間隔で変更し、変更された同調周波数の電波を受信し、前記放送信号を検索する構成を有している。この構成により、放送局検索の際、受信電波の電界強度の変化量が予め設定された電界強度の変動量以上の状態であるのか否かを判定し、予め設定された電界強度の変動量以上でない場合、所望の周波数間隔で放送局検索動作を継続し、予め設定されたより安定した受信状態にある放送局の電波に同調させることができる。
【００２２】
さらに、本発明のＡＭ放送局検索方法は、前記予め設定された時間と前記計時された時間との比が予め設定された時間比以上であるとする前記時間比判定工程での判定を計時成功判定とし、前記予め設定された時間と前記計時された時間との比が予め設定された時間比未満であるとする前記時間比判定工程での判定を計時失敗判定とし、前記計時工程による前記予め設定された時間内で前記中間周波信号の電圧が前記予め設定された検索停止最低電圧以上になっている時間と、前記時間比判定工程による前記予め設定された時間と前記計時された時間との比が予め設定された時間比以上であるのか否かの判定とを複数回数繰返したのち、前記受信状態判定工程で、計時成功判定とした回数が前記複数回数に占める割合を算出し、算出された割合が予め設定された割合以上であると判定したことにより、前記検索制御工程が予め設定された受信状態にある放送信号を検出したと判定し、前記受信状態判定工程が、計時成功判定とした回数が前記複数回数に占める割合を算出し、算出された割合が予め設定された割合未満であると判定したことにより、前記検索制御工程が予め設定された受信状態にある放送信号を検出していないと判定することを特徴とする構成を有している。この構成により、放送局検索の際、受信電波の状態を複数回検出し、予め設定された受信状態にあるのか否かを判定し、予め設定された電界強度の変動量以上の状態でない場合、所望の周波数間隔で放送局検索動作を継続し、予め設定されたより安定した受信状態にある放送局の電波に同調させることができる。
【００２３】
【発明の実施の形態】
以下、本発明の実施の形態のＡＭ放送局検索電子同調ラジオ１００の構成を図１を参照して説明する。
【００２４】
本発明のＡＭ放送局検索電子同調ラジオ１００は、放送信号を含む受信電波を中間周波信号に周波数変換し、放送信号から音声信号を復調し、放送信号を検索する電子同調ラジオ受信手段３１と、中間周波信号の電圧を検出する中間周波電圧検出手段３７と、中間周波電圧検出手段３７で検出された中間周波信号の電圧値が予め設定された検索停止電圧値以上の値であるか否かを判定するとともに、中間周波信号の電圧値の変動量が予め設定された中間周波電圧値の変動量以下であるか否か判定する電圧判定手段４１と、予め設定された基準時間の間に中間周波電圧検出手段３７によって中間周波信号の電圧値が検索停止電圧値以上であると判定した時間を計時する計時手段４２と、基準時間と計時手段４２で計時された時間との比が、予め設定された基準時間比よりも大きいか否かを判定する時間比判定手段４３と、電子同調ラジオ受信手段３１で放送信号の検索動作が行われている際に、電圧判定手段４１によって中間周波電圧検出手段３７で検出された中間周波信号の電圧値が予め設定された検索停止電圧値以上の値であると判定するとともに、中間周波信号の電圧値の変動量が予め設定された中間周波電圧値の変動量以下であると判定し、かつ時間比判定手段４３によって基準時間と計時手段４２で計時された時間との比が予め設定された基準時間比よりも大きいと判定した場合に検索動作を停止させる検索制御手段３５とを備えている。
【００２５】
さらに、電圧判定手段４１が複数回電圧判定動作を行った際の複数回数の電圧判定結果と時間比判定手段４３が複数回時間比判定動作を行った際の複数回数の時間比判定結果を用いて放送信号は予め設定された受信状態にあるのか否かを判定する受信状態判定手段４４を備えており、電子同調ラジオ受信手段３１で放送信号の検索動作が行われている際に、受信状態判定手段４４によって放送信号が予め設定された受信状態にあると判定した場合、検索制御手段３５は、検索動作を停止させるようになっている。
【００２６】
ここで、ＡＭ放送信号とは、音声信号などの放送情報を搬送するよう振幅変調されている放送信号をいう。また、ＡＭ放送局とは、音声信号などの放送情報を搬送するよう電波を振幅変調し、振幅変調された電波を送信する放送局をいう。
【００２７】
また、電子同調ラジオ受信手段３１で放送信号の検出動作が行われている際に、電圧判定手段４１によって算出された中間周波信号の電圧値が検索停止電圧値未満であると判定した場合、電子同調ラジオ受信手段３１の同調周波数を予め設定された周波数間隔で変更し、変更された同調周波数の電波を受信し、放送信号の検索動作を継続するようになっている。
【００２８】
また、電子同調ラジオ受信手段３１で放送信号の検索動作が行われている際に、電圧判定手段４１によって算出された中間周波数の電圧の変動量が予め設定された変動量より大きいと判定した場合、電子同調ラジオ受信手段３１の同調周波数を予め設定された周波数間隔で変更し、変更された同調周波数の電波を受信し、放送信号を検索するようになっている。
【００２９】
また、電子同調ラジオ受信手段３１で放送信号の検索動作が行われている際に、受信状態判定手段４４によって放送信号が予め設定された受信状態にないと判定した場合、電子同調ラジオ受信手段３１の同調周波数を予め設定された周波数間隔で変更し、変更された同調周波数の電波を受信し、放送信号を検索するようになっている。また、ＡＭ放送局検索電子同調ラジオ受信機は車載用である。
【００３０】
次に、本発明のＡＭ放送局検索電子同調ラジオ１００の動作を図２を参照して説明する。
【００３１】
まず、ステップＳ４１では、電子同調ラジオ受信機が受信周波数ｆの電波を受信する。次いで、ステップＳ４２では、放送局検索を開始するのか否かを判定する。ここで、放送局検索を開始しないと判定したときにはステップＳ４１に戻り、放送局検索を開始すると判定したときにはステップＳ４３に進む。次いで、ステップＳ４３では、受信した電波から復調された音声信号がスピーカ４０から音声として出力されないようミュート状態にする。次いで、ステップＳ４４では、受信周波数ｆ＋Δfに設定するよう受信周波数ｆに１ステップ分の周波数Δfを加算える。
【００３２】
次いで、ステップＳ４５では、受信周波数ｆ＋Δfの電波に同調するよう図示されていない同調回路を設定し、受信周波数ｆ＋Δfの電波を受信する。次いで、ステップＳ４６では、受信した電波から周波数１０．７ＭＨｚの中間周波数に変換された中間周波信号の電圧Ｖｆを検出し、検出された中間周波信号の電圧Ｖｆと予め設定された検索停止最低電圧Ｖとを比較する。ここで、中間周波信号の電圧Ｖｆが予め設定された検索停止最低電圧Ｖ以上のときにはステップＳ４７に進み、中間周波数１０．７ＭＨｚの信号の電圧Ｖｆが予め設定された検索停止最低電圧Ｖ未満のときにはステップＳ４４に進む。
【００３３】
次いで、ステップＳ４７では、受信周波数ｆ＋Δfに放送信号が存在するのか否かを判定する。この判定は、予め設定された時間内に中間周波信号の電圧Ｖｆが予め設定された検索停止最低電圧Ｖを超えている時間ｔを計時し、検索停止最低電圧Ｖを超えているとして計時された時間ｔが予め設定された時間内の何パーセントであったかに基づいて実行される。すなわち、中間周波信号の電圧Ｖｆが予め設定された検索停止最低電圧Ｖを超えているとして計時された時間ｔが予め設定された割合以上であるとき、受信周波数ｆ＋Δfに放送信号が存在すると判定し、ステップＳ４８に進む。他方、超えているとして計時された時間ｔが予め設定された割合未満であるとき、受信周波数ｆ＋Δfに放送信号が存在しないと判定し、ステップＳ４４に進む。
【００３４】
次いで、ステップＳ４８では、さらに継続して、中間周波信号の電圧Ｖｆの検出と中間周波数の電圧Ｖｆの変動量を検出し、さらに、予め設定された時間内に中間周波信号の電圧Ｖｆが予め設定された検索停止最低電圧Ｖを超えている時間を計時し、予め設定された検索停止最低電圧Ｖを超えているとして計時された時間ｔが予め設定された時間内の何パーセントであったかを判定する。ここで、中間周波信号の電圧Ｖｆの変動量の検出は、具体的には、中間周波信号の電圧Ｖｆの最大電圧と最小電圧とを検出し、最大電圧と最小電圧との差を求めることで実行される。このステップＳ４８は、中間周波電圧検出工程と電圧判定工程と計時工程を含んでいる。
【００３５】
ステップＳ４９では、ステップＳ４８で検出された中間周波信号の電圧Ｖｆが予め設定された閾値Ｖを越えているのか否かを判定し、中間周波信号の電圧Ｖｆが一瞬であっても予め設定された検索停止最低電圧Ｖ未満でると判定されたときには、ステップＳ４４に進む。他方、中間周波信号の電圧Ｖｆが常に予め設定された検索停止最低電圧Ｖ以上であると判定されるときには、ステップＳ５０に進む。このステップＳ４９は、電圧判定工程を含んでいる。
【００３６】
次いで、ステップＳ５０では、ステップＳ４９で検出された中間周波信号の電圧Ｖｆの最小値Ｖｆ＿ｍａｘと最大値Ｖｆ＿ｍｉｎとに基いて中間周波数の電圧Ｖｆの変動量ΔＶｆが算出され、算出された変動量ΔＶｆが予め設定された変動量の最大限度Ｖａを越えたと判定されたときには、ステップＳ４４に進む。また、算出された変動量ΔＶｆが予め設定された変動量の最大限度Ｖａを越えたときには、フェージング現象も大きいと判定される。他方、算出された変動量ΔＶｆが予め設定された変動量の最大限度Ｖａ未満であると判定されたときには、ステップＳ５２に進む。また、算出された変動量ΔＶｆが予め設定された変動量の最大限度Ｖａ未満のときには、フェージング現象も小さいと判定される。
【００３７】
次いで、ステップＳ５１では、予め設定された時間と計時された時間との比が予め設定された時間比以上であるとする時間比判定工程の判定を計時成功判定とし、他方、予め設定された時間と計時された時間との比が予め設定された時間比未満であるとする時間比判定工程の判定を計時失敗判定とし、計時工程による予め設定された時間内で中間周波信号の電圧が予め設定された検索停止最低電圧以上になっている時間と、時間比判定工程による予め設定された時間と計時された時間との比が予め設定された時間比以上であるのか否かを判定とを複数回数繰返したのち、受信状態判定工程が、計時成功判定とした回数が複数回数に占める割合を算出し、算出された割合が予め設定された割合以上であると判定したことにより、検索制御工程が予め設定された受信状態にある放送信号を検出したと判定し、受信状態判定工程が、計時成功判定とした回数が複数回数に占める割合を算出し、算出された割合が予め設定された割合未満であると判定したことにより、検索制御工程が予め設定された受信状態にある放送信号を検出していないと判定する。このステップＳ４９、ステップＳ５０、およびステップＳ５１が、検索判定工程を構成している。
【００３８】
ここで、受信周波数ｆ＋Δfに放送信号が存在すると判定された割合が、予め設定された割合以上であると判定されたときステップＳ５２に進む。他方、受信周波数ｆ＋Δｆに放送信号が存在すると判定された割合が、予め設定された割合未満のであると判定されたときステップＳ４４に進む。
【００３９】
最後に、ステップＳ５２では、受信周波数ｆ＋Δfに放送信号が存在し、フェージング現象の影響も小さく、受信状態が良いと判定し、受信周波数ｆ＋ΔｆのＡＭ放送波に同調することを決定する。次いで、ステップＳ５３では、ＡＭ放送波から復調され増幅された音声信号を音声に変換しスピーカから出力するようミュート状態を解除する。
【００４０】
以上のように、本発明の実施の形態のＡＭ放送局検索電子同調ラジオ受信機は、予め設定された周波数間隔で受信周波数を変更しＡＭ放送信号が存在するのか否かを判定するとき、受信した電波から変換され、受信した電波の信号レベルに比例した大きさをもつ中間周波信号の電圧と電圧の変動量等も評価しているので、フェージング現象などにより受信状態が悪化している電波であるのか否かを判定することができ、昼夜を問わず、予め設定された安定して良好な受信状態にある周波数に同調させることができる。
【００４１】
【発明の効果】
以上説明したように、本発明のＡＭ放送局検索電子同調ラジオ受信機は、放送局検索を実行するとき、中間周波信号の大きさと、中間周波信号の大きさの変動量と、中間周波信号の大きさが予め設定された大きさ以上である時間および中間周波信号の大きさの変動量が予め設定された変動量以下である時間とを用いて受信状態を判定しているので、昼夜を問わず安定して良好な受信状態にあるＡＭ放送局の電波に同調させることができる。
【図面の簡単な説明】
【図１】本発明のＡＭ放送局検索ラジオ受信機の実施形態の構成を示すブロック図
【図２】本発明のＡＭ放送局検索ラジオ受信機の動作を示すフローチャート
【図３】従来のＡＭ放送局検索ラジオ受信機の概略構成を示すブロック図
【図４】従来のＡＭ放送局検索ラジオ受信機の動作を示すフローチャート
【符号の説明】
３１  電子同調ラジオ受信手段
３２  中間周波数変換手段
３３  同調手段
３４  復調手段
３５  検索制御手段
３７  中間周波電圧検出手段
３８  ミュート回路
３９  アンプ
４０  スピーカ
４１  電圧判定手段
４２  計時手段
４３  時間比判定手段
４４  受信状態判定手段
【図１】
0003824960.tif 000002
【図２】
0003824960.tif 000003
【図３】
0003824960.tif 000004
【図４】
0003824960.tif 000005